(57)【要約】  本発明は弾性結束ストラップを有する傘を提供する。結束ストラップは使用者が圧力を加えることにより伸張して長さを増し、かつ傘カバー折り畳み部およびリブリンク装置を傘のセンターポストの周りに固定する。本発明は、更に、弾性運搬ストラップを有する傘を提供する。
2008505733.tif 000002
【特許請求の範囲】
【請求項１】
センターポスト、
前記センターポストに取り付けられた複数のリブリンク装置、
前記リブリンク装置に取り付けられかつ複数の三角布を含むカバー、および
前記三角布の一つに取り付けられかつ長手方向へ伸張可能な結束ストラップを含む傘。
【請求項２】
前記結束ストラップは、結束ストラップの初期長の１０から７０％の範囲の増加長まで伸張可能である、請求項１の傘。
【請求項３】
前記結束ストラップは、結束ストラップの初期長の１０から５０％の範囲の増加長まで伸張可能である、請求項２の傘。
【請求項４】
前記結束ストラップは、結束ストラップの初期長の１０から３０％の範囲の増加長まで伸張可能である、請求項２の傘。
【請求項５】
前記結束ストラップは、弾性材料で形成されている、請求項１の傘。
【請求項６】
前記結束ストラップは、ゴムで形成されている、請求項５の傘。
【請求項７】
前記結束ストラップは、結束ストラップの先端にタブを含む、請求項１の傘。
【請求項８】
前記結束ストラップは、ファスナを更に含む、請求項１の傘。
【請求項９】
前記センターポストに取り付けられたハンドル、および前記ハンドルに取り付けられた運搬ストラップを更に含み、前記運搬ストラップは長手方向に伸張可能である、請求項１の傘。
【請求項１０】
前記結束ストラップおよび前記運搬ストラップは、弾性材料で形成されている、請求項９の傘。
【請求項１１】
前記結束ストラップおよび前記運搬ストラップは、ゴムで形成されている、請求項１０の傘。
【請求項１２】
センターポスト、
前記センターポストに取り付けられた複数のリブリンク装置、
前記リブリンク装置に取り付けられかつ複数の三角布を含むカバー、
前記三角布の一つに取り付けられた結束ストラップ、
前記センターポストに取り付けられたハンドル、および
前記ハンドルに取り付けられた運搬ストラップを更に含み、
前記運搬ストラップは長手方向に伸張可能である、傘。
【請求項１３】
前記運搬ストラップは、運搬ストラップの初期長の１０から７０％の範囲の増加長まで伸張可能である、請求項１２の傘。
【請求項１４】
前記運搬ストラップは、運搬ストラップの初期長の１０から５０％の範囲の増加長まで伸張可能である、請求項１２の傘。
【請求項１５】
前記運搬ストラップは、運搬ストラップの初期長の１０から３０％の範囲の増加長まで伸張可能である、請求項１２の傘。
【請求項１６】
前記運搬ストラップは、弾性材料で形成されている、請求項１２の傘。
【請求項１７】
前記運搬ストラップは、ゴムで形成されている、請求項１２の傘。
【発明の詳細な説明】
【技術分野】
【０００１】
本発明は傘に関する。更に具体的には、本発明は、保管のために傘のカバー折り畳み部を固定する新規、効率的手段を有する傘に関する。
【０００２】
本発明は、更に、傘を運搬するための新規手段を有する傘を提供する。
【背景技術】
【０００３】
保管のために使用後に傘のカバー折り畳み部を固定するための手段を提供することは当分野で周知である。伝統的に、カバー折り畳み部およびリブリンク装置を傘のセンターポストの周りに固定するために結束ストラップ（ｔｉｅ  ｓｔｒａｐ）が使用される。結束ストラップは、センターポストに対してリブリンク装置によりカバー折り畳み部が折り畳まれるときにセンターポストの周りにカバー折り畳み部を巻き付けるのに有用である。
【０００４】
伝統的傘は単一セクションのリブリンク装置を有し、リブリンク装置は折り畳まれたときに約１ｍの長さである。これに対して、折り畳み可能傘は複数セクションのリブリンク装置を有し、相対的に小さい包装体として保管できる。複数セクションのリブリンク装置は傘の閉鎖時に問題が生じる。その理由は傘それ自体の上にリブリンク装置が折り畳まれる傾向があるからである。カバー折り畳み部およびリブリンク装置をきちんと効率的に固定することは困難であり使用者に不便を生じる。傘を折り畳む試みは、湿ったカバー折り畳み部により更に複雑になり、湿ったカバー折り畳み部を適所に畳むことは容易でない。
【０００５】
結束ストラップは、カバー折り畳み部材料と概ね同一材料で形成され、かつ傘のカバー折り畳み部に垂直に配向される。結束ストラップの幅は均一かつ薄く、０．２から３ｃｍの範囲である。結束ストラップの長さは、センターポストのまわりでカバー折り畳み部およびリブリンク装置を囲むのに十分な長さである。結束ストラップは、また、一般的にファスナを含み、ファスナは、カバー折り畳み部とリブリンク装置を保管のために適所で固定するために特別の位置でカバー折り畳み部上に形成される。
【０００６】
使用者は、センターポストの周りに湿ったカバー折り畳み部を折り畳むときに結束ストラップによりしばしば苦しめられる。第一に、カバー折り畳み部と同一材料で形成された結束ストラップがカバー折り畳み部に対して小さく、かつ湿ったカバー折り畳み部内に埋まるので結束ストラップを設置することが困難になる。第二に、結束ストラップは、湿ったときに使用者の指から容易に滑り出る。結束ストラップの先端は使用者の指で握るための実質的クリップを有しない。第三に、その長さが、センターポストにカバー折り畳み部およびリブリンク装置を巻き付けることのできる丁度の長さであるが、スナップ式ボタンを固定する動作のためには十分に長くない。結束ストラップは、ファスナを固定する前に使用者の指から滑り出て、カバー折り畳み部内に埋まった結束ストラップの再設置を使用者に要求する。従って、従来技術による結束ストラップは保管のために傘のカバー折り畳み部を固定する効果的手段を提供するには不十分である。
【０００７】
従って、保管のために傘の折り目を固定して使用者の時間および不便を解消する効果的手段に対するニーズがある。
【発明の開示】
【０００８】
［発明の概要］
本発明は弾性結束ストラップを具備した傘を提供する。この結束ストラップは、使用者が結束ストラップに圧力を加えることにより長さが伸張して長くなり、かつ傘カバー折り畳み部およびリブリンク装置を傘のセンターポストの周りに固定する。
【０００９】
本発明は、更に、弾性運搬ストラップを有する傘を提供する。
【発明を実施するための最良の形態】
【００１０】
弾性結束ストラップ１０は、カバー折り畳み部１２に取り付けられ、カバー折り畳み部は、カバー折り畳み部の折り畳みの展開を促進するように、長手方向に伸張可能である。結束ストラップ１０は、結束ストラップに長手方向において圧力を加えることによって、初期長の１０から７０％の範囲の増加長まで伸張可能である。好適には、結束ストラップ１０は、結束ストラップの初期長の１０から５０％の範囲の増加長まで伸張可能である。更に好ましくは、結束ストラップは、結束ストラップの初期長の１０から３０％の範囲の増加長まで伸張可能である。
【００１１】
増加長は、傘１４の閉鎖時に有用である。使用者は、結束ストラップ１０を使用して傘のセンターポスト１６の周りにカバー折り畳み部を折り畳む、または巻き付けることができ、かつ結束ストラップは閉鎖した傘の周囲を囲む十分な長さを有する。閉鎖を確実にするために、結束ストラップ１０はこの点で増加長まで伸張して折り畳みを緊張させかつファスナ１８を固定する。
【００１２】
結束ストラップは傘カバー折り畳み部１２の材料と異なる均一材料で形成され、カバー折り畳み部の材料は、概ね、コートされた布帛、または織製合成繊維材料である。結束ストラップ１０は、ネオプレンまたは合成ゴム等の弾性材料により形成されてよい。かかる材料は、使用者が結束ストラップ１０の表面から指を滑り外すことなく、結束ストラップ１０を容易に設置しかつ結束ストラップのいずれかの部分を握ることができるように、ノンスリップ特性を有する。結束ストラップ１０は長さおよび幅が均一である。好適には、結束ストラップ１０の幅は、典型的雨傘について、０．２ｃｍから１０ｃｍである。結束ストラップ１０の長さは、カバー折り畳み部およびリブリンク装置をセンターポストの周りに囲むことのできる十分な長さである。結束ストラップ１０の長さは、典型的雨傘に関して１５から３０ｃｍの範囲である。好適には、結束ストラップは２２ｃｍである。長手方向の圧力を結束ストラップ１０へ加えるときに、結束ストラップ１０の長さは、上述したように、４５ｃｍまで拡張する。
【００１３】
結束ストラップ１０は０．５から５ｃｍの範囲の厚みを有してよい。好適には、結束ストラップ１０は１ｃｍである。かかる厚みを有しかつ弾性材により形成される結束ストラップ１０の使用は、結束ストラップが実施質的重量を有しかつ使用者の指によりカバー折り畳み部１２の材料から容易に区別できるので、結束ストラップの設置動作を促進する。
【００１４】
当業者には、ここに開示の結束ストラップ１０の長さ、幅、厚みを、例えば雨傘、日傘またはビーチパラソル、乳母車の日除け傘等の傘のタイプにより寸法に合わせて変更することができることが想定できる。
【００１５】
他の実施形態において、結束ストラップ１０の取り付けられていない方の先端２２は、結束ストラップと同一弾性材によるタブ２４を有する。タブ２４の幅は、好適には結束ストラップ１０の幅よりも広い。好適には、タブ２４は卵形である。タブ２４は、使用者の親指と結束ストラップとのより良いグリップに有用である。より良い把持は、ファスナ１８の固定、および傘１４のカバー折り畳み部１２の閉鎖を容易にすることに寄与する。
【００１６】
結束ストラップ１０の取り付けられていない先端２２は、更に、傘カバー折り畳み部１２へ結束ストラップ１０を固定するための手段２６を含み、傘カバー折り畳み部１２およびリブリンク装置２０は傘１４のセンターポスト１６の周りに固定される。かかる手段は、スナップボタン、ホック、またはベルクロ（登録商標）等の傘カバー折り畳み部１２へ固定されてよいファスナを含む。ファスナはプラスチックまたは金属で形成されてよい。
【００１７】
結束ストラップ１０は、結束ストラップ１０を傘カバー折り畳み部１２へ固定することのできるいずれかの手段により取り付けられてよい。結束ストラップ１０は、閉鎖位置の傘カバー折り畳み部１２間の概ね中間点に取り付けられる。
【００１８】
本発明は、長手方向に伸張可能である運搬ストラップ２８を有する傘１４を提供する。運搬ストラップ２８は弾性材料で形成されてよい。傘１４のハンドルに取り付けられた弾性運搬ストラップは、手首上、特に腕上での傘の運搬を促進する。弾性運搬ストラップ２８は、傘が手から腕に移動するときに伸長するので、付加的物品の運搬を促進する。弾性運搬ストラップ２８の提供は、更に、傘１４の保管を促進し、この場合に運搬ストラップを伸張させる必要がある。
【００１９】
運搬ストラップ２８は、運搬ストラップ２８に長手方向において圧力を加えることにより、初期長の１０から７０％の範囲の増加長まで伸張可能である。好適には、運搬ストラップ２８は、初期長の１０から５０％の範囲の増加長まで伸張可能である。更に好ましくは、運搬ストラップ２８は、初期長の１０から３０％の範囲の増加長まで伸張可能である。
【００２０】
本発明は、運搬ストラップ２８を具備したハンドル３０を有する傘１４を提供し、この場合にハンドル３０は、複数の格納セクション３２を有するセンターポスト１６に連結される（図１）。傘１４は複数のリブリンク装置２０を有し、各リブリンク装置はセンターポスト１６に取り付けられている。傘１４は、また、リブリンク装置２０に沿って種々異なる点でリブリンク装置２０に取り付けられる複数の三角巾３６を含むカバー３４を有する。閉鎖位置において、カバー３４は複数のカバー折り畳み部１２を形成し、カバー折り畳み部はリブリンク装置２０と共にセンターポスト１６の周りに折り畳まれる。
【００２１】
結束ストラップ１０は、傘１４が閉鎖位置のときに、傘カバー折り畳み部１２の中間点で三角巾３６に固定される。
【００２２】
結束ストラップ１０は先端にタブ２４を有する。タブ２４はスナップボタン３８を内面側に有し、スナップボタン３８は、カバー折り畳み部１２の一つの上に設けられたスナップボタン受け４０に受けられ、閉鎖した傘１４の周りに包まれるときに結束ストラップ１０を固定する。結束ストラップ１０は閉鎖した傘１４の周りを包む十分な長さを有する。
【００２３】
本発明の詳細な説明の開示から、当業者は本発明に許容できる種々の変更を理解するであろう。本発明は上述の開示に如何なる方法によっても制限されない。
【図面の簡単な説明】
【００２４】
【図１】開放位置の傘の図を示す。
【図２】一つのカバー折り畳み部の折り畳みを展開した閉鎖位置の傘の図を示す。
【図３】結束ストラップの拡大図を示す。
【図４】運搬ストラップの拡大図を示す。
【図１】
2008505733.tif 000003
【図２】
2008505733.tif 000004
【図３】
2008505733.tif 000005
【図４】
2008505733.tif 000006
【国際調査報告】
2008505733.tif 000007